(57)【要約】  強化ゴム材料のウェブの切断装置用の供給装置であって、ウェブ係合部を備えている第１と第２のウェブ搬送部を有し、第１と第２のウェブ搬送部はウェブ方向に互いに離れており、それぞれが、一体で往復運動するように互いに接続されている第１と第２のキャリッジに取り付けられているか、共通の往復運動可能なキャリッジに取り付けられており、第１のウェブ搬送部は、第２のウェブ搬送部の下流に位置しており、供給装置は、両搬送部を備えている１つまたは２つのキャリッジを往復運動中に案内するガイドを有し、両搬送部を備えている１つまたは２つのキャリッジ用のガイドは、往復運動のストローク全体に対して連続している。
2009506899.tif 000002
【特許請求の範囲】
【請求項１】
強化ゴム材料のウェブの切断装置用の供給装置であって、ウェブ係合部を備えている第１と第２のウェブ搬送部を有し、前記第１と第２のウェブ搬送部はウェブ方向に互いに離れており、それぞれが、一体で往復運動するように互いに接続されている第１と第２のキャリッジに取り付けられているか、共通の往復運動可能なキャリッジに取り付けられており、前記第１のウェブ搬送部は、前記第２のウェブ搬送部の下流に位置しており、該供給装置は、前記両搬送部を備えている前記１つまたは２つのキャリッジを前記往復運動中に案内するガイドを有し、前記両搬送部を備えている前記１つまたは２つのキャリッジの前記ガイドは、前記往復運動のストローク全体に対して連続している、供給装置。
【請求項２】
前記ガイドは前記ウェブの上方に位置している、請求項１に記載の供給装置。
【請求項３】
前記ウェブ搬送部は、前記ガイドから下方に延びている、請求項１または２に記載の供給装置。
【請求項４】
前記第１と第２のウェブ搬送部の各々に対して第１と第２のキャリッジがそれぞれ設けられており、前記両キャリッジの共通の駆動部分をさらに有する、請求項１、２、または３に記載の供給装置。
【請求項５】
前記ウェブ搬送部の前記１つまたは２つのキャリッジの前記駆動部分はサーボモータを有する、先行する請求項のいずれか１項に記載の供給装置。
【請求項６】
前記駆動部分は、スピンドル／ナット駆動部を有する、請求項４または５に記載の供給装置。
【請求項７】
前記第１のウェブ搬送部は、鉛直中心線を中心に配置されるように、前記（第１の）キャリッジに取り付けられている、先行する請求項のいずれか１項に記載の供給装置。
【請求項８】
前記第１のウェブ搬送部を前記配置位置に固定する手段を有する、請求項７に記載の供給装置。
【請求項９】
前記固定手段は収縮可能で伸張可能なクランピングブロックを有する、請求項８に記載の供給装置。
【請求項１０】
前記第１のウェブ搬送部は、搬送部ビームと、前記搬送部ビームの前記切断装置の反対側に向いている側で突き出している水平平面内に位置している強化フレームとを有する、先行する請求項のいずれか１項に記載の供給装置。
【請求項１１】
前記強化フレームは一体に、好ましくは板材料から、構成されている、請求項１０に記載の供給装置。
【請求項１２】
前記補剛フレームは前記搬送部ビームが固定されているストリップを有する、請求項１０または１１に記載の供給装置。
【請求項１３】
前記強化フレームはアーチを有する、請求項１０、１１、または１２に記載の供給装置。
【請求項１４】
前記固定手段は前記強化フレーム上で作動する、請求項１０から１３、請求項８または９のいずれか１項に記載の供給装置。
【請求項１５】
前記ウェブ搬送部の少なくとも一つは、下側表面に磁石の列が配置されている搬送部ビームを有し、前記複数の磁石は前記ウェブに対して上下に移動可能であって、抑制部が、前記磁石を前記ウェブに向けておよび／または前記ウェブから離れるように移動させるときに、圧力を前記ウェブに作用させるように、前記磁石の近くに、特に前記磁石の隣に存在する、先行する請求項のいずれか１項に記載の供給装置。
【請求項１６】
前記抑制部は上下に移動可能であって、前記磁石が前記ウェブに係合するときにまたは係合する前に前記ウェブに接触するまで移動可能におよび／または前記磁石が前記ウェブから離れた後、ある期間後に前記ウェブから離れるように移動可能に配置されるように、前記搬送部ビーム上で支持されている、請求項１５に記載の供給装置。
【請求項１７】
前記抑制部は対象としている前記磁石のいくつかの側部に、好ましくは対象としている前記磁石の少なくとも２つの対向している側部に配置されており、前記磁石の周辺部分の回りに延びていることが好ましく、わずかに遊びがあることが好ましい、請求項１５または１６に記載の供給装置。
【請求項１８】
前記ウェブ搬送部は、下側表面に（永久）磁石の列が配置されている搬送部ビームを有し、前記磁石は長い磁石表面を有し、前記搬送部ビーム内に平行に収容されており、前記磁石はビーム主方向に対して傾斜角度を有して位置している、先行する請求項のいずれか１項に記載の供給装置。
【請求項１９】
前記磁石は、前記ビーム主方向を横切る投影で考えた場合、互いに重なっている、請求項１８に記載の供給装置。
【請求項２０】
前記切断装置を有し、前記ガイドは、前記第１のウェブ搬送部の移動経路の上方の位置で鉛直中心線を中心にヒンジ動作するように中心ヒンジの位置で前記切断装置に取り付けられている上側フレーム上に配置されている、前記先行する請求項のいずれか１項に記載の供給装置。
【請求項２１】
前記第１のウェブ搬送部は前記切断装置に接触する位置まで移動可能な、請求項２０に記載の供給装置。
【請求項２２】
前記第１のウェブ搬送部は前記切断装置の移動可能な刃の刃ホルダに接触する位置まで移動可能な、請求項２１に記載の供給装置。
【請求項２３】
切断装置と前記切断装置に強化ゴム材料のウェブを供給する供給装置との組み立て品であって、第１と第２のウェブ搬送部を有し、前記第１と第２の搬送部はウェブ方向に互いに離れており、上側フレームに沿って前記切断装置に向けてそして離れるように移動可能であって、前記上側フレームは第１の搬送部の移動経路の上方の位置で鉛直中心線を中心にヒンジ動作するように前記切断装置に取り付けられており、前記供給装置の前記切断装置に対する角度を設定するさらなる手段が存在し、前記第１のウェブ搬送部は、中心ヒンジの位置で、前記上側フレームに対する角度を鉛直中心線を中心に設定可能である、組み立て品。
【請求項２４】
前記第１のウェブ搬送部を前記配置位置に固定する手段を有する、請求項２３に記載の供給装置。
【請求項２５】
前記第１のウェブ搬送部は前記切断装置に接触する位置まで移動可能な、請求項２３または２４に記載の供給装置。
【請求項２６】
強化ゴム材料のウェブの切断装置用の供給装置であって、第１と第２のウェブ搬送部を有し、前記第１と第２のウェブ搬送部はウェブ方向に互いに離れており、前記第１のウェブ搬送部は、搬送部ビームと、前記切断装置の反対側に向いている前記搬送部ビームの側で突き出している水平平面内に位置している強化フレームとを有する、供給装置。
【請求項２７】
前記強化フレームは一体に、好ましくは板材料から、構成されていることが好ましい、請求項２６に記載の供給装置。
【請求項２８】
前記強化フレームは前記搬送部ビームが固定されているストリップを有する、請求項２６または２７に記載の供給装置。
【請求項２９】
前記強化フレームはアーチを有する、請求項２６、２７、または２８に記載の供給装置。
【請求項３０】
前記第１のウェブ搬送部は、前記ウェブ方向に対する角度について鉛直中心線を中心に設定可能である、請求項２６〜２９のいずれか１項に記載の供給装置。
【請求項３１】
前記第１のウェブ搬送部を前記配置位置に固定する手段を有する、請求項３０に記載の供給装置。
【請求項３２】
前記固定手段は収縮可能で伸張可能なクランピングブロックを有する、請求項３１に記載の供給装置。
【請求項３３】
前記強化フレームの前記アーチは前記鉛直方向中心線上に位置している中心を有する、請求項２９またはそれに従属する請求項に記載の供給装置。
【請求項３４】
強化ゴム材料のウェブの切断装置用の供給装置であって、下側表面に磁石の列が配置されている搬送部ビームを有する少なくとも１つのウェブ搬送部を有し、前記磁石は前記ウェブに対して上下に移動可能であって、抑制部が、前記磁石を前記ウェブに向けておよび／または前記ウェブから離れるように移動させるときに、圧力を前記ウェブに作用させるように、前記磁石の近くに、特に前記磁石の隣に存在する、供給装置。
【請求項３５】
前記抑制部は上下に移動可能であって、前記磁石が前記ウェブに係合するときにまたは係合する前に前記ウェブに接触するまで移動可能におよび／または前記磁石が前記ウェブから離れた後、ある期間後に前記ウェブから離れるように移動可能に配置されるように、前記搬送部ビーム上で支持されている、請求項３４に記載の供給装置。
【請求項３６】
前記抑制部は対象としている前記磁石のいくつかの側部に、好ましくは対象としている前記磁石の少なくとも２つの対向している側部に配置されており、前記磁石の周辺部分の回りに延びていることが好ましく、わずかな遊びがあることが好ましい、請求項３４または３５に記載の供給装置。
【請求項３７】
強化ゴム材料のウェブの切断装置用の供給装置であって、磁力によって作動する第１と第２のウェブ搬送部を有し、前記第１と第２のウェブ搬送部はウェブ方向に互いに離れており、前記両ウェブ搬送部の少なくとも一方は下側表面に磁石の列が配置されている搬送部ビームを有し、前記磁石は長い磁石表面を有し、前記搬送部ビーム内に平行に収容されており、前記磁石はビーム主方向に対して傾斜角度を有して位置している、供給装置。
【請求項３８】
前記磁石は、前記ビーム主方向を横切る投影で考えた場合、互いに重なっている、請求項３７に記載の供給装置。
【請求項３９】
添付の明細書に記載されているおよび／または添付の図面に図示されている１つまたは２つ以上の特徴のある手段を備えた供給装置。
【請求項４０】
添付の明細書に記載されているおよび／または添付の図面に図示されている１つまたは２つ以上の特徴のある手段を備えた供給装置と切断装置との組み立て品。
【請求項４１】
添付の明細書に記載されているおよび／または添付の図面に図示されている１つまたは２つ以上の特徴のある手段を備えた磁石ビーム。
【請求項４２】
添付明細書に記述されているおよび／または添付図面に図示されている１つまたは２つ以上の特徴的なステップを有する方法。
【発明の詳細な説明】
【技術分野】
【０００１】
本発明は、タイヤの製造に使用されるウェブ形状材料の切断装置用の供給装置に関する。
【背景技術】
【０００２】
そのような供給装置は切断装置と共に、いわゆるブレーカ切断システムの一部であって、材料のウェブの巻き出し架台と、切断されたウェブの複数の片の排出装置と、ウェブの複数の片を１つに継ぎ合わす接合機と、新しく合成されたウェブの巻き取り架台とがさらに一体となっていることもある。
【０００３】
ウェブの材料は、通常、補強のためにウェブの長さ方向に延びている鋼コードを有している未加硫ゴムである。ウェブは、切断装置に１５〜９０度の角度で供給され、そこで平行四辺形の複数の片に連続して切断される。複数の片は、切断線と平行な方向に排出され、接合機上で、切断されていない側部で継ぎ合わされる。このようにして新しいウェブが得られ、ウェブ内では鋼コードがウェブの主方向に対して角度を有している。
【０００４】
供給装置は、初めのウェブを切断装置に、順次、不連続に供給し、供給長さと供給角度とが設定可能である。供給速度、精度、および形状を保持している材料がここでは非常に重要である。作られるウェブ中での各々のずれが、製造されるタイヤの安定性、したがって安全性に対して重大な影響を持つ場合がある。
【発明の開示】
【発明が解決しようとする課題】
【０００５】
ウェブを支持しているローラトラックと、ローラトラックの上方に配置されており初めのウェブに対して横方向となる上流磁石ビームと、この磁石ビームと切断装置との間に位置している傾斜磁石ビームとの２つの磁石ビームを有している供給装置が一般に知られている。両磁石ビームは自身の１対のガイド上を往復運動可能である。傾斜磁石ビームの両ガイドは、下流端部の位置で、切断装置の刃の前でかつ上方に位置しているプレートに取り付けられている。傾斜磁石ビームは、両ガイド上を移動可能な２つのスリーブからつり下げられている。両磁石ビームは１つの連結ロッドによって互いに連結されている。供給装置の中間には、横方向ビームが取り付けられている輪が存在している。横方向ビームは、２つのガイドと傾斜磁石ビームと共に、平行四辺形構造を構成している。供給装置全体が揺動するときには、この平行四辺形は独自に変形する。それに対して、下流磁石ビームは常におおよそ正しい傾斜位置を占める。高速の場合に慣性力が問題になる。多くの接合部分、特に回転の４つの接合部分／点では、遊びが増加する。（複雑な）平行四辺形は、内部変形しやすい。その結果、この機械は実際には、現在の精度に対する高い要求をもはや満たすことはできない。
【０００６】
他の実施形態が欧州特許出願第１．２８６．９０３号明細書に記載されている。数個の隣接して配置されているコンベアベルトが使用されている。複数のコンベアベルトはウェブを支持しており、ウェブを共に搬送できるように磁石が設けられている。供給装置が揺動するときには、複数のコンベアベルトを短くすることができる。しかし、これは複雑な構成である。
【０００７】
本発明の目的は、前提部分で述べられている種類の供給装置であって、より高い精度を実現する供給装置を提供することである。
【課題を解決するための手段】
【０００８】
本発明の一態様によれば、強化ゴム材料のウェブの切断装置用の供給装置であって、ウェブ係合部を備えている第１と第２のウェブ搬送部を有し、第１と第２のウェブ搬送部はウェブ方向に互いに離れており、それぞれが、一体で往復運動するように互いに接続されている第１と第２のキャリッジに取り付けられているか、共通の往復運動可能なキャリッジに取り付けられており、第１のウェブ搬送部は、第２のウェブ搬送部の下流に位置しており、供給装置は、両搬送部を備えている１つまたは２つのキャリッジを往復運動中に案内するガイドを有し、両搬送部を備えている１つまたは２つのキャリッジ用のガイドは、往復運動のストローク全体に対して連続している供給装置を提供する。
【０００９】
このように、両ウェブ搬送部の相互変位を防止することができ、その結果、両ウェブ搬送部はいわば一体となり、ウェブは両ウェブ搬送部によってその主平面内での変形のおそれができるだけ少ない状態で移動する。このように、切断装置に対して排出されるウェブの形状と方向との信頼性が高くなる。
【００１０】
鋼製の補強コードの場合は、ウェブ係合部は磁力によって作動させることができる。合成物質による補強の場合、吸引カップなどの他の種類の係合部を使用することができる。
【００１１】
一実施態様では、ガイドはウェブの上方に位置している。ウェブ搬送部は、ガイドから下方に延びていてもよい。
【００１２】
一実施態様では、ウェブ搬送部の各々に対してキャリッジが設けられており、両キャリッジの共通駆動部が存在し、その結果、両キャリッジの相互変位の信頼性がさらに高まっている。
【００１３】
１つまたは２つのキャリッジの駆動部がサーボモータを有している場合、ウェブ搬送部の変位の精度が高くなる。駆動部は、スピンドル／ナット駆動部をさらに有していてもよい。
【００１４】
第１のウェブ搬送部は、切断装置に対する第１のウェブ搬送部の水平平面内の角度を直接設定できるように、鉛直中心線に関して配置されるように、（第１の）キャリッジに取り付けられていてもよい。収縮／伸張可能なクランピングブロックなどの適切な手段を使用して、第１のウェブ搬送部の配置位置を固定することができる。
【００１５】
さらなる態様では、本発明は、第１のウェブ搬送部が、搬送部ビームと、切断装置の反対側に向いている搬送部ビームの側で突き出している水平平面内に位置している強化フレームとを有すると規定している。これによって、ウェブ搬送部の形状維持特性を長期にわたって保証する。剛性は、強化フレームが、好ましくは板材料から、一体に構成されている場合に高まる。強化フレームは搬送部ビームが固定されているストリップを有していてもよい。
【００１６】
強化フレームがアーチを有しているときに、剛性をさらに高めることができる。
【００１７】
固定手段が存在する場合、固定手段を強化フレームに係合させ、強化フレーム上で作動させるように強化フレームを使用させることもできる。
【００１８】
場合によっては独立しているさらなる態様では、本発明は、ウェブ搬送部は、下側表面に磁石の列が配置されている搬送部ビームを有し、磁石はウェブに対して上下に移動可能であって、抑制部が、磁石をウェブに向けておよび／またはウェブから離れるように移動させるときに、圧力をウェブに作用させるように、磁石の近くに、特に磁石の隣に存在すると規定している。このように、磁石がウェブに近づいたときにウェブ材料が上向きに動き、そのため変形すること、および／または、磁石がウェブから解放されたときにウェブ材料が磁石と共に動き、その結果、ウェブが局所的に永久的に変形（上昇）して、最終製品で精度が低下することの大部分を防止することができる。
【００１９】
簡単な実施態様において、抑制部は、上下に移動可能であって、磁石がウェブに係合するときにまたは係合する前にウェブに接触するまで移動可能におよび／または磁石がウェブから離れた後、ある期間後にウェブから離れるように移動可能に配置されるように、搬送部ビーム上で支持されている。
【００２０】
磁石とウェブ材料との間の解放処理は、抑制部が、対象としている磁石のいくつかの側部に、好ましくは対象としている磁石の少なくとも２つの対向している側部に配置されており、好ましくは磁石の周辺部分の回りに延びており、好ましくはわずかな遊びがある場合に促進される。
【００２１】
さらなる態様では、本発明は、一方または両方のウェブ搬送部が、下側表面に（永久）磁石の列が配置されている搬送部ビームを有し、磁石は長い磁石表面を有し、搬送部ビーム内に平行に収容されており、磁石はビーム主方向に対して傾斜角度を有して位置している、と規定している。このように、丸い磁石と比較して、より大きな力が得られるが、さらに、全ての鋼コードがウェブの全幅にわたって張られることを容易に保証することができる。これは、複数の磁石が、ビーム主方向に対して横方向の投影で考えた場合、互いに重なっている場合に促進される。
【００２２】
本発明のさらなる態様では、切断装置を有し、ガイドは、第１のウェブ搬送部の移動経路の上方の位置で鉛直中心線を中心にヒンジ動作するように中心ヒンジの位置で切断装置に取り付けられている上側フレーム上に配置されている、本発明の供給装置が提供される。中心ヒンジは、刃に対する供給装置の（水平平面内の）角度を設定するために、それを中心に供給装置が切断装置に対して回転できるヒンジを構成している。このように、公知の平行四辺形構成と比較して、供給装置と切断装置との間に簡単なヒンジ接続が得られ、第１のウェブ搬送部を刃の近くに位置させることが可能で、その結果、切断される材料の配置と形状との信頼性が高まる。
【００２３】
これは、第１のウェブ搬送部が切断装置に接触する位置まで移動可能なとき、特に、第１のウェブ搬送部が切断装置の移動可能な刃の刃ホルダに接触する位置まで移動可能なときに最適化される。そのさらなる利点は、刃ホルダを第１のウェブ搬送部の角度位置の設定の補助に使用可能なことで、その場合、第１のウェブ搬送部は刃に平行に常に容易に設定することができる。
【００２４】
さらなる態様では、本発明は、切断装置と切断装置に強化ゴム材料のウェブを供給する供給装置との組み立て品であって、第１と第２のウェブ搬送部を有し、第１と第２のウェブ搬送部はウェブ方向に互いに離れており、上側フレームに沿って切断装置に向けて、また離れるように移動可能であって、上側フレームは第１のウェブ搬送部の移動経路の上方の位置で鉛直中心線を中心にヒンジ動作するように、中心ヒンジの位置で切断装置に取り付けられており供給装置の切断装置に対する角度を設定するさらなる手段が存在し、第１のウェブ搬送部は、上側フレームに対する角度を鉛直中心線を中心に設定可能な組み立て品を提供する。
【００２５】
さらなる態様では、本発明は、強化ゴム材料のウェブの切断装置用の供給装置であって、第１と第２のウェブ搬送部を有し、第１と第２のウェブ搬送部はウェブ方向に互いに離れており、第１のウェブ搬送部は、搬送部ビームと、切断装置の反対側に向いている搬送部ビームの側で突き出している水平平面内に位置している強化フレームとを有する供給装置を提供する。
【００２６】
前述の実施態様において、強化フレームがアーチを有する場合、強化フレームのアーチは中心ヒンジの鉛直方向中心線上に位置している中心を有していてもよい。
【００２７】
さらなる態様では、本発明は、強化ゴム材料のウェブの切断装置用の供給装置であって、下側表面に磁石の列が配置されている搬送部ビームを有する少なくとも１つのウェブ搬送部を有し、磁石はウェブに対して上下に移動可能であって、抑制部が、磁石をウェブに向けておよび／またはウェブから離れるように移動させるときに、圧力をウェブに作用させるように、磁石の近くに、特に磁石の隣に存在する、供給装置を提供する。
【００２８】
さらなる態様では、本発明は、強化ゴム材料のウェブの切断装置用の供給装置であって、磁力によって作動する第１と第２のウェブ搬送部を有し、第１と第２のウェブ搬送部はウェブ方向に互いに離れており、両ウェブ搬送部の少なくとも一方は下側表面に磁石の列が配置されている搬送部ビームを有し、磁石は長い磁石表面を有し、搬送部ビーム内に平行に収容されており、磁石はビーム主方向に対して傾斜角度を有して位置している、供給装置を提供する。
【００２９】
本願で説明および／または図示した態様と手段とは、可能な場合、個別に使用される。（従属）請求項で特に説明した、第１のウェブ搬送部が配置可能であること、第１のウェブ搬送部を強化すること、磁石を配置すること、ウェブ抑制部、および他の態様などのこれらの個別の態様は、それらに関連する特許出願の分割の対象になる場合もある。
【発明を実施するための最良の形態】
【００３０】
添付の図面に示されている実施態様に基づいて本発明を説明する。
【００３１】
図１と２に示している装置１は、供給方向Ｘに向けられている、複数のコード、特に鋼製のコードを備えているゴム材料のストリップＲの供給のために配置されている。供給装置１は、ゴム材料のストリップを供給装置の下流に固定されている切断装置２に供給する。切断装置２は、固定されているフレーム９と、上下（Ｅ）に移動可能であって、傾斜している歯先を備えている刃５ａを有している刃ホルダ５と、不図示の固定されている対向刃に加えて、刃ホルダ５の下流に位置している不図示のコンベヤを有しており、コンベヤは、公知の方法で切断されコードが切断縁に対して角度を有しているゴム材料の複数の片を方向Ｊの排出コンベア１０に排出する。
【００３２】
刃５の上流では、切断装置２には、大部分が中心がＳ１の円形の縁２８ａである常設テーブル２８が設けられている。テーブル２８には、上側の表面内に、ゴム材料のウェブを搬送する空気クッションができるように、圧縮空気源に接続されている複数の穴（不図示）が設けられている。
【００３３】
装置１の供給側には、詳細を示していないゴム材料のストックロールを供えているストック装置３が配置されており、この材料は装置１に供給される。模式的に示している材料Ｒのウェブを参照のこと。
【００３４】
ストック装置３は、図２に示しているように方向Ｂに、切断装置２とのヒンジジョイントを中心に、一体に移動するように、供給装置１に取り付けられており、このジョイントについてはさらに説明する。
【００３５】
供給装置１は、図示していないが互いに対して固定されている下側フレーム８と上側フレーム４とを有している。下側フレーム８は、全ての方向に対して剛性があり、ローラトラック６を支持しており、図２の平面図も参照のこと。ローラトラック６はテーブル２８の実質的に円形の縁２８ａに接続されている。
【００３６】
上側フレーム４は、全ての方向に対して剛性があり、接続ロッド２３ｃによって剛性のある態様で互いに接続されているキャリッジ組み立て品２３ａ（前方キャリッジ）と２３ｂ（後方キャリッジ）とがつり下げられている直線連続ガイド７（直線ガイディング）を備えている。両キャリッジ２３ａ、２３ｂは、一体に構成されていてもよく、その実施形態を図３に示しており、その場合、接続ロッド２３ｃは存在しない。両キャリッジ２３ａ、２３ｂには、両キャリッジ２３ａ、２３ｂが、それに沿って方向Ａに直線状の案内された動きをするように両直線ガイディング７からつり下げられているつり下げ部材２７が設けられている。図３と５からわかるように、直立プレート２４がキャリッジ２３（または２つのキャリッジ２３ａ、ｂが存在している場合２３ｂ）に取り付けられており、このプレート２４はサーボモータ６０を取り付ける役割がある。サーボモータ６０は、サーボモータ６０によって駆動される歯車６０ａを有しており、ナット２６を直接回転させる駆動歯車６３を駆動するように歯付き駆動ベルト６２が歯車６０ａを中心に移動しており、そのナット２６はスピンドル１２とかみ合っており、スピンドル１２はブラケット２５ａ、２５ｂによって上側フレーム４に固定されて、配置されている。
【００３７】
磁石ビーム１５と１６とは、キャリッジ２３またはキャリッジ２３ａ、２３ｂに取り付けられている。磁石ビーム１６はキャリッジ２３、２３ｂにその後端部つまり上流端部で固定されている。磁石ビーム１６は移動方向Ａを横切って延びており、磁石ビーム１６に対して方向Ｄに移動可能な複数の磁石３２を備えている。
【００３８】
（水平平面内で考えた場合に）角度のある方向に向いている前部つまり下流の磁石ビーム１５は、配置のためにキャリッジ２３ａまたは２３に取り付けられている。磁石ビーム１５は、図２の平面図に加えて図３と４Ａ、Ｂにより詳細に示しているように、実質的に１つの板、特にアルミニウムから製造されており、詳細には示していない態様で（たとえば多数のボルトによって）磁石ビーム１５が下側に対して取り付けられている長さ方向のストリップ３６を有しているフレーム３０に取り付けられている。ストリップ３６の下側に対して鉛直ストリップ３７が取り付けられており、鉛直ストリップ３７は磁石ビーム１５にも取り付けられており、プレート３０の剛性を確実に補っている。プレート３０は、縁の剛性を補うためにつり下げストリップ３５が取り付けられているアーチ状ストリップ３２をさらに有している。
【００３９】
アーチ状ストリップ３２を備えているプレート３０によって、磁石ビーム１５の剛性が特に水平平面内で補われており、最適な真直度を維持することができる。
【００４０】
プレート３０は、水平平面内で中心線Ｓ２を中心に方向Ｇにヒンジ運動するようにヒンジピン３８と軸受３９とによってキャリッジ２３ａまたは２３に取り付けられている。水平部分１９を備えているブラケット１８は、キャリッジ２３ａまたは２３からつり下がっており、その水平部分は圧縮空気ライン２１によって作動可能な空気圧シリンダ１７を支持している。空気圧シリンダ１７は動作したときにクランピングブロック３３を延ばすことができる。すると、クランピングブロック３３はアーチ状ストリップ３２の下側に強制的に押しつけられる。アーチ状ストリップ３２の上側には、対応したアーチ状のブレーキブロックストリップ３４がキャリッジ２３または２３ａに取り付けられており、このブレーキブロックストリップ３４は、クランピングブロック３３がアーチ状ストリップ３２を上向きにブレーキブロックストリップ３４に押しつけることができるように、クランピングブロック３３と関連している圧縮空気シリンダ１７とが配置されている位置に対向して配置されている。したがって、圧縮空気シリンダ１７を動作させることによって、プレート３０の位置を回転方向Ｇについてキャリッジ２３、２３ａに対して固定することができる。このように、磁石ビーム１５の角度位置も固定することができる。ただし、図２、６、および７では、キャリッジ２３ａはガイド７を越えて横方向に延びていることがわかり、ブレーキブロック３４／クランピングブロック３３の複数の位置を示している。
【００４１】
上側フレーム４と下側フレーム８とは、８ａと６１の位置で中心線Ｓ１（図１）を中心にヒンジ運動するように切断装置２に取り付けられている。直線ガイディング７は、磁石ビーム１５を切断装置９に接触する位置まで配置できるように切断装置９まで十分に延びることができる。その位置で、両中心線Ｓ１とＳ２とが一致することが好ましい。
【００４２】
したがって、磁石ビーム１５は、ゴム材料のウェブを刃５のできるだけ近くに搬送することができ、その結果、好ましくない変形のおそれが限定される。
【００４３】
磁石ビーム１５は切断装置２に接触しているため、切断装置２は磁石ビーム１５の基準を構成しており、それは、供給装置１の使用を開始するときに使用することができる。そのように供給装置１の使用の開始前に、キャリッジ２３または両キャリッジ２３ａ、２３ｂを既知の０位置にまず引き込み、それに続いて、磁石ビーム１５が切断装置２に対して１つまたは２つのキャリッジによって搬送される位置を計測することができる。これら２つの既知の位置によって、各供給ストローク毎にキャリッジが行う必要のある正確なストロークを（供給装置１の制御ユニットに組み込まれている計算プログラムを使用して）計算することができ、それに合わせて制御ユニットによってサーボモータ６０を制御することができる。
【００４４】
供給方向Ａと排出方向Ｊとの間の角度α（図６）を変更する必要のある場合、キャリッジ２３は切断装置２に向けて磁石ビーム１５が切断装置２に、たとえば刃ホルダ５に、再び接触するまで移動する。それから、プレート３０への圧着が終了するように、空気圧シリンダ１７が開放される。それに続いて、不図示の手段を使用して、供給装置１とストック装置３の組み立て品が中心線Ｓ１を中心に所望の角度位置（たとえば図７の角度β）になるまで方向Ｂに回転する。それから、磁石ビーム１５の新しい角度位置を固定するように１つまたは２つ以上の空圧シリンダ１７が作動する。供給装置の制御ユニットとサーボモータ６０を制御するのに使用される前述の方法とに同じ位置が入力される。
【００４５】
磁石ビーム１５の角度位置を固定することばかりでなく、両ガイド２３ａ、２３ｂまたはキャリッジ２３用の連続している直線ガイディング７によって、供給ストローク中に高い信頼性で相互位置が保持される複数の位置において、ゴム材料のウェブが（複数の磁石を使用して）保持されることが保証される。
【００４６】
図８Ａ〜Ｄと９Ａ〜Ｅに基づいて、本発明の磁石ビームの他の特徴を説明する。図８Ａ〜Ｄの状態では、磁石ビーム１５′には、複数の磁石３１′が複数のピストンロッド４２′によって下側端部の位置に設けられている複数のシリンダ４１′が収容されているハウジング４０′が設けられている。テーブル２８上に配置されているゴム材料５０を模式的に示している。図８Ａは非作動位置を示している。磁石ビーム１５′は、テーブル２８の支持表面の上方の常に高さＸ１の位置にある。図８Ｂに示しているように、磁石ビーム１５がゴム材料５０を移動させた後、磁石３１′を再び後退（Ｄ）させなければならないことになる。しかし、磁力のせいで、ゴム材料は共に動きがちで、隆起５１が発生することになる。（そのため高さＸ１は大き過ぎてはならない。しかし、そのようにする場合の欠点は、複数の磁石ビームが後退ストローク時にゴム材料に接触する可能性があることである。）最後に、ゴム材料の張力が磁力に打ち勝って、材料が離れることになるが、図８Ｃに示しているように、ゴム材料に変形５２が残る。図８Ｄは磁石ビーム１５′が次の搬送ストロークを実行するために後退したところを示している。
【００４７】
図９Ａ〜Ｅに示している本発明の磁石ビーム１５には、ハウジング４０に対して上下に移動可能な抑制部４３の形態の追加の機能が設けられている。図９Ａと９Ｂとに示しているように、最初に抑制部４３がゴム材料５０の上側表面に接触するまで下向きに移動する（Ｇ）。それに続いて、磁石３１が下向きに移動する（Ｈ）。抑制部４３がゴム材料に接触するまで延びるため、磁石３１が接近するときにゴム材料５０内ですでに発生する隆起が防止される。
【００４８】
搬送ストロークが終了すると、図９Ｃに示しているように、まず磁石３１が上向きに引き上げられる（Ｄ）が、制御部４３は定位置を維持する。それに続いて、図９Ｄに示しているように、制御部４３がＩ方向に上に向けて移動する。その結果、ゴム材料は平らなままである。
【００４９】
ゴム材料が磁石によって上向きに搬送されるのを防止した結果、さらに、テーブル２８の支持表面に対する磁石の距離Ｘ２をＸ１よりも大きくすることができる。その結果、復帰する磁石ビーム１５によるゴム材料に対する一切の干渉が防止される。
【００５０】
図１０は磁石ビーム１５の他の特別な態様を示している。磁石ビーム１５の長さ方向を、この場合Ｓ３と示している。複数の磁石３１は長く、線Ｓ３に対して角度Ｙで配置されていることがわかる。その結果、連続している複数の磁石３１を方向Ｓ３に対して共により接近させることができる。重なりＳ４を設けることさえ可能である。このようにして、ゴム材料の最適な係合が可能になる。
【図面の簡単な説明】
【００５１】
【図１】本発明の装置の典型的な実施形態の模式的な側面図である。
【図２】図１の構成の模式的な平面図である。
【図３】図１と２の装置内の考え得るキャリッジ組み立て品の模式的側面図である。
【図４Ａ】図１と２の構成内の下流磁石ビーム用の回転およびクランプ機構の詳細を示している模式図である。
【図４Ｂ】図１と２の構成内の下流磁石ビーム用の回転およびクランプ機構の詳細を示している模式図である。
【図５】図３の矢印Ｖについての模式的断面図である。
【図６】図１と２の装置の２つの角度位置の１つである。
【図７】図１と２の装置の２つの角度位置の１つである。
【図８Ａ】技術の現状の磁石ビームを使用した連続したユーザステップの１つである。
【図８Ｂ】技術の現状の磁石ビームを使用した連続したユーザステップの１つである。
【図８Ｃ】技術の現状の磁石ビームを使用した連続したユーザステップの１つである。
【図８Ｄ】技術の現状の磁石ビームを使用した連続したユーザステップの１つである。
【図９Ａ】本発明の磁石ビームを使用した連続したユーザステップの１つである。
【図９Ｂ】本発明の磁石ビームを使用した連続したユーザステップの１つである。
【図９Ｃ】本発明の磁石ビームを使用した連続したユーザステップの１つである。
【図９Ｄ】本発明の磁石ビームを使用した連続したユーザステップの１つである。
【図９Ｅ】本発明の磁石ビームを使用した連続したユーザステップの１つである。
【図１０】磁石ビームの下面図である。
【図１】
2009506899.tif 000003
【図２】
2009506899.tif 000004
【図３】
2009506899.tif 000005
【図４Ａ】
2009506899.tif 000006
【図４Ｂ】
2009506899.tif 000007
【図５】
2009506899.tif 000008
【図６】
2009506899.tif 000009
【図７】
2009506899.tif 000010
【図８】
2009506899.tif 000011
【図９】
2009506899.tif 000012
【図１０】
2009506899.tif 000013
【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
強化ゴム材料のウェブの切断装置用の供給装置であって、ウェブ係合部を備えている第１と第２のウェブ搬送部を有し、前記第１と第２のウェブ搬送部はウェブ方向に互いに離れており、それぞれが、一体で往復運動するように互いに接続されている第１と第２のキャリッジに取り付けられているか、共通の往復運動可能なキャリッジに取り付けられており、前記第１のウェブ搬送部は、前記第２のウェブ搬送部の下流に位置しており、該供給装置は、前記両搬送部を備えている前記１つまたは２つのキャリッジを前記往復運動中に案内するガイドを有し、前記両搬送部を備えている前記１つまたは２つのキャリッジの前記ガイドは、前記往復運動のストローク全体に対して連続している、供給装置。
【請求項２】
前記ガイドは前記ウェブの上方に位置している、請求項１に記載の供給装置。
【請求項３】
前記ウェブ搬送部は、前記ガイドから下方に延びている、請求項１または２に記載の供給装置。
【請求項４】
前記第１と第２のウェブ搬送部の各々に対して第１と第２のキャリッジがそれぞれ設けられており、前記両キャリッジの共通の駆動部分をさらに有する、請求項１、２、または３に記載の供給装置。
【請求項５】
前記ウェブ搬送部の前記１つまたは２つのキャリッジの前記駆動部分はサーボモータを有する、先行する請求項のいずれか１項に記載の供給装置。
【請求項６】
前記駆動部分は、スピンドル／ナット駆動部を有する、請求項４または５に記載の供給装置。
【請求項７】
前記第１のウェブ搬送部は、鉛直中心線を中心に配置されるように、前記（第１の）キャリッジに取り付けられている、先行する請求項のいずれか１項に記載の供給装置。
【請求項８】
前記第１のウェブ搬送部を前記配置位置に固定する手段を有する、請求項７に記載の供給装置。
【請求項９】
前記固定手段は収縮可能で伸張可能なクランピングブロックを有する、請求項８に記載の供給装置。
【請求項１０】
前記第１のウェブ搬送部は、搬送部ビームと、前記搬送部ビームの前記切断装置の反対側に向いている側で突き出している水平平面内に位置している強化フレームとを有する、先行する請求項のいずれか１項に記載の供給装置。
【請求項１１】
前記強化フレームは一体に、好ましくは板材料から、構成されている、請求項１０に記載の供給装置。
【請求項１２】
前記補剛フレームは前記搬送部ビームが固定されているストリップを有する、請求項１０または１１に記載の供給装置。
【請求項１３】
前記強化フレームはアーチを有する、請求項１０、１１、または１２に記載の供給装置。
【請求項１４】
前記固定手段は前記強化フレーム上で作動する、請求項１０から１３、請求項８または９のいずれか１項に記載の供給装置。
【請求項１５】
前記ウェブ搬送部の少なくとも一つは、下側表面に磁石の列が配置されている搬送部ビームを有し、前記複数の磁石は前記ウェブに対して上下に移動可能であって、抑制部が、前記磁石を前記ウェブに向けておよび／または前記ウェブから離れるように移動させるときに、圧力を前記ウェブに作用させるように、前記磁石の近くに、特に前記磁石の隣に存在する、先行する請求項のいずれか１項に記載の供給装置。
【請求項１６】
前記抑制部は上下に移動可能であって、前記磁石が前記ウェブに係合するときにまたは係合する前に前記ウェブに接触するまで移動可能におよび／または前記磁石が前記ウェブから離れた後、ある期間後に前記ウェブから離れるように移動可能に配置されるように、前記搬送部ビーム上で支持されている、請求項１５に記載の供給装置。
【請求項１７】
前記抑制部は対象としている前記磁石のいくつかの側部に、好ましくは対象としている前記磁石の少なくとも２つの対向している側部に配置されており、前記磁石の周辺部分の回りに延びていることが好ましく、わずかに遊びがあることが好ましい、請求項１５または１６に記載の供給装置。
【請求項１８】
前記ウェブ搬送部は、下側表面に（永久）磁石の列が配置されている搬送部ビームを有し、前記磁石は長い磁石表面を有し、前記搬送部ビーム内に平行に収容されており、前記磁石はビーム主方向に対して傾斜角度を有して位置している、先行する請求項のいずれか１項に記載の供給装置。
【請求項１９】
前記磁石は、前記ビーム主方向を横切る投影で考えた場合、互いに重なっている、請求項１８に記載の供給装置。
【請求項２０】
前記切断装置を有し、前記ガイドは、前記第１のウェブ搬送部の移動経路の上方の位置で鉛直中心線を中心にヒンジ動作するように中心ヒンジの位置で前記切断装置に取り付けられている上側フレーム上に配置されている、前記先行する請求項のいずれか１項に記載の供給装置。
【請求項２１】
前記第１のウェブ搬送部は前記切断装置に接触する位置まで移動可能な、請求項２０に記載の供給装置。
【請求項２２】
前記第１のウェブ搬送部は前記切断装置の移動可能な刃の刃ホルダに接触する位置まで移動可能な、請求項２１に記載の供給装置。
【請求項２３】
切断装置と前記切断装置に強化ゴム材料のウェブを供給する供給装置との組み立て品であって、第１と第２のウェブ搬送部を有し、前記第１と第２の搬送部はウェブ方向に互いに離れており、上側フレームに沿って前記切断装置に向けてそして離れるように移動可能であって、前記上側フレームは第１の搬送部の移動経路の上方の位置で鉛直中心線を中心にヒンジ動作するように前記切断装置に取り付けられており、前記供給装置の前記切断装置に対する角度を設定するさらなる手段が存在し、前記第１のウェブ搬送部は、中心ヒンジの位置で、前記上側フレームに対する角度を鉛直中心線を中心に設定可能である、組み立て品。
【請求項２４】
前記第１のウェブ搬送部を前記配置位置に固定する手段を有する、請求項２３に記載の供給装置。
【請求項２５】
前記第１のウェブ搬送部は前記切断装置に接触する位置まで移動可能な、請求項２３または２４に記載の供給装置。
【請求項２６】
強化ゴム材料のウェブの切断装置用の供給装置であって、第１と第２のウェブ搬送部を有し、前記第１と第２のウェブ搬送部はウェブ方向に互いに離れており、前記第１のウェブ搬送部は、搬送部ビームと、前記切断装置の反対側に向いている前記搬送部ビームの側で突き出している水平平面内に位置している強化フレームとを有する、供給装置。
【請求項２７】
前記強化フレームは一体に、好ましくは板材料から、構成されていることが好ましい、請求項２６に記載の供給装置。
【請求項２８】
前記強化フレームは前記搬送部ビームが固定されているストリップを有する、請求項２６または２７に記載の供給装置。
【請求項２９】
前記強化フレームはアーチを有する、請求項２６、２７、または２８に記載の供給装置。
【請求項３０】
前記第１のウェブ搬送部は、前記ウェブ方向に対する角度について鉛直中心線を中心に設定可能である、請求項２６〜２９のいずれか１項に記載の供給装置。
【請求項３１】
前記第１のウェブ搬送部を前記配置位置に固定する手段を有する、請求項３０に記載の供給装置。
【請求項３２】
前記固定手段は収縮可能で伸張可能なクランピングブロックを有する、請求項３１に記載の供給装置。
【請求項３３】
前記強化フレームの前記アーチは前記鉛直方向中心線上に位置している中心を有する、請求項２９またはそれに従属する請求項に記載の供給装置。
【請求項３４】
強化ゴム材料のウェブの切断装置用の供給装置であって、下側表面に磁石の列が配置されている搬送部ビームを有する少なくとも１つのウェブ搬送部を有し、前記磁石は前記ウェブに対して上下に移動可能であって、抑制部が、前記磁石を前記ウェブに向けておよび／または前記ウェブから離れるように移動させるときに、圧力を前記ウェブに作用させるように、前記磁石の近くに、特に前記磁石の隣に存在する、供給装置。
【請求項３５】
前記抑制部は上下に移動可能であって、前記磁石が前記ウェブに係合するときにまたは係合する前に前記ウェブに接触するまで移動可能におよび／または前記磁石が前記ウェブから離れた後、ある期間後に前記ウェブから離れるように移動可能に配置されるように、前記搬送部ビーム上で支持されている、請求項３４に記載の供給装置。
【請求項３６】
前記抑制部は対象としている前記磁石のいくつかの側部に、好ましくは対象としている前記磁石の少なくとも２つの対向している側部に配置されており、前記磁石の周辺部分の回りに延びていることが好ましく、わずかな遊びがあることが好ましい、請求項３４または３５に記載の供給装置。
【請求項３７】
強化ゴム材料のウェブの切断装置用の供給装置であって、磁力によって作動する第１と第２のウェブ搬送部を有し、前記第１と第２のウェブ搬送部はウェブ方向に互いに離れており、前記両ウェブ搬送部の少なくとも一方は下側表面に磁石の列が配置されている搬送部ビームを有し、前記磁石は長い磁石表面を有し、前記搬送部ビーム内に平行に収容されており、前記磁石はビーム主方向に対して傾斜角度を有して位置している、供給装置。
【請求項３８】
前記磁石は、前記ビーム主方向を横切る投影で考えた場合、互いに重なっている、請求項３７に記載の供給装置。
【国際調査報告】
2009506899.tif 000014
2009506899.tif 000015
2009506899.tif 000016
2009506899.tif 000017
2009506899.tif 000018
2009506899.tif 000019
2009506899.tif 000020